(57)【要約】【課題】コンクリート型枠パネルの制作費が高くならず容易に成形でき、また、再使用できて無駄を極力なくすことができると共に自然保護にも寄与できるコンクリート型枠パネル用基板を提供する。【解決手段】強化プラスチックからなり縦寸法が１８００ｍｍの縦長長方形状に成形され、その一側面に外周端縁を含め縦横格子状に直線状の突条桟部１，２を突設してなるコンクリート型枠パネル用基板Ａであって、前記一側面にはその長手方向の一側端縁から該長手方向に沿って所定幅を有すると共にその横中心線に沿って切断可能な横突条桟部２が３００ｍｍピッチおきに配置された構成からなる。【選択図】図２
2006118222.tif 000002
【特許請求の範囲】
【請求項１】
強化プラスチックからなり縦寸法が１８００ｍｍの縦長長方形状に成形され、その一側面に外周端縁を含め縦横格子状に直線状の突条桟部を突設してなるコンクリート型枠パネル用基板であって、前記一側面にはその長手方向の一側端縁から該長手方向に沿って所定幅を有すると共にその横中心線に沿って切断可能な横突条桟部が３００ｍｍピッチおきに配置されていることを特徴とするコンクリート型枠パネル用基板。
【発明の詳細な説明】
【技術分野】
【０００１】
本発明は、例えば生コンクリートを打設してコンクリート壁を成形するため床面上に枠組みされるコンクリート型枠パネルの基板に関するものである。
【背景技術】
【０００２】
従来、コンクリート製の建物を建設する場合に使用されるコンクリート型枠パネルの基板は、ガラス繊維で補強された不飽和ポリエステル樹脂、所謂、強化プラスチックＦＲＰから成形されており、縦寸法１８００ｍｍ、横寸法６００ｍｍ、厚み寸法１２ｍｍの大きさを有する。そして、その一側面には、補強を目的に外周端縁を含め所定幅を有する直線状の突状桟部が縦横格子状に突設されている（例えば、非特許文献１参照。）。
【０００３】
更に詳しくは、図７に示すように、基板１００の一側面の短手方向にその両端縁を含め幅２５ｍｍの縦突状桟部１０１が１６３ｍｍ、７５ｍｍ、７５ｍｍ、１６３ｍｍの間隔をそれぞれ離して平行に突設されている。また、同側面の長手方向にはその両端縁を含め幅３０ｍｍの横突状桟部１０２が１３５ｍｍ、１５０ｍｍ、…１５０ｍｍ、１３５ｍｍの間隔をそれぞれ離して平行に突設されている。
【０００４】
ところで、コンクリート製の建物を構築する場合、施工現場によって床面と天井面との高さ寸法がそれぞれ異なっており（通常、１８００ｍｍ以上ある。）、規定の縦寸法１８００ｍｍに設定された前記基板１００から成形される標準のコンクリート型枠パネル以外に、その下にベニヤ板を基板とする副コンクリート型枠パネルを継足すようにしている。このベニヤ板を使った副コンクリート型枠パネルは、脱枠後は水分を吸って構造的に弱くなるため再度使用することができず、ベニヤ板である基板を廃棄物として処理している。
【非特許文献１】アルミ桟型枠の紹介（株式会社新樹）、「Ｘシート・トリコンシートの紹介」、［ｏｎｌｉｎｅ］、［平成１６年７月２２日検索］、インターネット＜ＵＲＬ：ｈｔｔｐ：／／ｗｗｗ.ｓｉｎ−ｋｉ.ｃｏ．ｊｐ／ｎｅｗ＿ｐａｇｅ＿１．ｈｔｍ＞
【発明の開示】
【発明が解決しようとする課題】
【０００５】
しかしながら、前記非特許文献１の標準のコンクリート型枠パネルと共に使用されベニヤ板を基板とする副コンクリート型枠パネルにあっては、その都度、ベニヤ板を所定の縦・横幅寸法に裁断して製作しなければならず面倒であるという課題があった。また、ベニヤ板を基板とする副コンクリート型枠パネルは、その場限りで廃棄されるので、無駄が多くしかも資源の保護にも欠けるという課題があった。
【０００６】
ただ、従来のＦＲＰ製の基板１００をその長手方向に沿って所定の位置で切断して副コンクリート型枠パネルを成形し、これを使用することも考えられるが、所定の縦寸法位置が横突条桟部１０２から外れると、継足し端縁の強度が弱くなって好ましくない。また、切断した後の残りの基板はその縦寸法が一定しておらず、これらから副コンクリート型枠パネルを成形しても縦寸法がまちまちであって使い勝手が悪いという課題がある。
【０００７】
一方、１８００ｍｍより短い縦寸法で一定の長さの基板、例えば縦寸法が３００ｍｍ、６００ｍｍ、９００ｍｍといったように規格化したもの、を複数種類成形し施工現場に合う副コンクリート型枠パネルを製作することも考えられるが、それら縦寸法の種類の異なった基板をそれぞれ別個に成形するには種類の異なる成形型を必要とし、金型費が嵩み、引いては成形コストが高くつくという欠点がある。
【０００８】
そこで、本発明は上記課題を解決すべくなされたもので、コンクリート型枠パネルの制作費が高くならず容易に成形でき、また、再使用できて無駄を極力なくすことができると共に自然保護にも寄与できるコンクリート型枠パネル用基板を提供することを目的とするものである。
【課題を解決するための手段】
【０００９】
かかる目的を達成するため、本発明に係るコンクリート型枠パネル用基板は、強化プラスチックからなり縦寸法が１８００ｍｍの縦長長方形状に成形され、その一側面に外周端縁を含め縦横格子状に直線状の突条桟部を突設してなるコンクリート型枠パネル用基板であって、前記一側面にはその長手方向の一側端縁から該長手方向に沿って所定幅を有すると共にその横中心線に沿って切断可能な横突条桟部が３００ｍｍピッチおきに配置された構成からなる。
【発明の効果】
【００１０】
本発明に係るコンクリート型枠パネル用基板は、強化プラスチックからなり縦寸法が１８００ｍｍの縦長長方形状に成形され、その一側面にその長手方向の一側端縁から該長手方向に沿って所定幅を有すると共にその横中心線に沿って切断可能な横突条桟部が３００ｍｍピッチおきに配置されているので、３００ｍｍ、６００ｍｍ，９００ｍｍといった３００の整数倍を縦寸法とする位置に常に横突条桟部が配置されることとなる。よって、この横突条桟部の中心線に沿って切断すれば、継足すための所定の縦寸法の副コンクリート型枠パネルが容易に製作でき、しかも、縦寸法が１８００ｍｍの基板を成形する金型で済むので、副コンクリート型枠パネルの製作コストが高くならない。また、切断した一方の基板と残りの基板はいずれもその縦寸法が３００ｍｍの整数倍になり、残りの基板もそのまま又は組み合せて使用出来ることになって無駄がない。更に、基板が強化プラスチックにより成形されることから、コンクリート型枠パネルが構造的に強く、再度使用することが可能となりその場限りで廃棄されることがないばかりか、資源の保護にもなるといった有益な効果がある。
【発明を実施するための最良の形態】
【００１１】
以下、本発明に係るコンクリート型枠パネル用基板の実施の形態を図面に基づき説明する。図１は本発明に係るコンクリート型枠パネル用基板の斜視図、図２は同正面図、図３は図２のＸ−Ｘ線拡大断面図である。このコンクリート型枠パネル用基板（以下、単に「基板」という。）Ａは、例えば、ガラス繊維で補強された不飽和ポリエステル樹脂、所謂、強化プラスチックとしてのＦＲＰにより圧縮成型される。
【００１２】
前記基板Ａは、縦長長方形状をなし、縦寸法が１８００ｍｍ、横寸法が６００ｍｍ、厚み寸法が１２ｍｍに設定されており、重量は８．８ｋｇである。更に詳しく説明すると、基板Ａの一側面には直交状に交わる縦横格子状に突条桟部、すなわち縦突条桟部１と横突条桟部２が突設されている。縦突条桟部１は、幅寸法が２５ｍｍに設定され、基板Ａの短手方向の両側端縁を含めその短手方向に沿って１６３ｍｍ、７５ｍｍ、７５ｍｍ、１６３ｍｍの間隔を離して合計５本の直線状の縦突条部１が突設されている。
【００１３】
また、横突条桟部２は、基板Ａの長手方向の両側端縁を含めその長手方向に沿って１１０ｍｍ、１２５ｍｍ、…１２５ｍｍ、１１０ｍｍの間隔を離して合計１３本の直線状の横突条桟部２が突設される。この内、長手方向の両側端縁とその間の一本置きの横突条桟部２は横幅が３０ｍｍに設定され、それ以外の中間の横突条桟部２ａは横幅が２０ｍｍに設定されている。よって、基板Ａの一側面には、その長手方向の一側端縁から該長手方向に沿って幅寸法３０ｍｍの横突条桟部２が３００ｍｍピッチ置きに配置されることになる。
【００１４】
このように、３００ｍｍピッチで幅寸法が３０ｍｍの横突条桟部２を配置したのは、それら横突条桟部２位置で、その横中心線に沿って切断できるようにしているからである。このため、切断され得る各横突条桟部２は、他の中間の横突条桟部２ａより幅寸法が１０ｍｍ広く設定してある。また、切断部の位置に横突条桟部２を突設するようにしたのは、例えば後記するように、その切断端縁の上面に長さ１８００ｍｍの標準のコンクリート型枠パネルＢが載り、その荷重に耐え得るように構造上強固なものにするためである。
【００１５】
図３に示すように、前記基板Ａの板部３表面と各縦・横突条桟部１，２，２ａの側面全長との間に、該表面から該側面に向かうに従い漸次肉厚が増す断面凹弧状の肉盛条部４が一体に成形されている。仮に、前記肉盛条部４が成形されてないと、コンクリート型枠パネルにより型枠を組んで生コンクリートを打設した場合、その圧力で板部３が押圧されて前記縦・横突条桟部１，２，２ａと板部３との境に撓み上の差が出て、脱枠した後のコンクリート壁面に前記各縦・横突条桟部１，２，２ａの側縁のラインが格子状にくっきりと浮き出てしまい見栄えが悪くなる。
【００１６】
そこで、基板Ａの板部３表面と各縦・横突条桟部１，２，２ａの側面全長との間に、表面から側面に向かうに従い漸次肉厚が増す肉盛条部４を一体に成形することにより、縦・横突条桟部１，２，２ａと板部３との境の撓み上の差を少なくして、脱枠した後のコンクリート表面に格子状のラインがくっきりと浮き出ることを抑え、見栄えの良いようにしている。
【００１７】
前記基板Ａの一側面、すなわち縦・横突条桟部１，２，２ａが突設された面には、図４に示すようにその長手方向に沿って短手方向の両端縁とその中間位置とに合計４本のアルミ製の桟木用固定枠５が添着され、ビスなどの固定手段により固定される。その内、両端縁の桟木用固定枠５，５には、所定の位置にパネル連結用の通孔６が開設されている。これにより、縦寸法１８００ｍｍを有する標準のコンクリート型枠パネルＢが成形される。
【００１８】
また、前記標準のコンクリート型枠パネルＢ以外に、縦寸法がこれより短い継ぎ足し用の副コンクリート型枠パネルＢ１が成形される。一般に施工現場での床面から天井面までの高さ寸法は１８００ｍｍ以上が多い。そこで、壁用の型枠を枠組みする場合、前記標準のコンクリート型枠パネルＢの下に、高さ寸法が１８００ｍｍ未満で所定の縦寸法の副コンクリート型枠パネルＢ１を製作し、これが同一面上に継ぎ足される。
【００１９】
このため、通常は基板Ａを所定の横突条桟部２の中心線に沿って切断することになる。例えば図５（イ）乃至（ハ）に示すように縦寸法が９００ｍｍ、１２００ｍｍ、１５００ｍｍの継足用の三種類の小基板ａ１、中基板ａ２、大基板ａ３が用意され、副コンクリート型枠パネルＢ１が製作される。この場合、図示は省略するが、残りの各基板は、縦寸法がそれぞれ９００ｍｍ、６００ｍｍ、３００ｍｍとなり、必要に応じこれらを使用して副コンクリート型枠パネルＢ１を製作しても良い。また、それらを自由に組合せて使用するようにすれば、極めて使い勝手が良い。図４には、小基板ａ１により製作した副コンクリート型枠パネルＢ１を示す。
【００２０】
また、図示は省略するが、例えば縦寸法３００ｍｍの基板を縦寸法１５００ｍｍの大基板と組合わせれば縦寸法が規定の１８００ｍｍの基板Ａになり、縦寸法６００ｍｍの基板にあっては縦寸法１２００ｍｍの中基板と組合わせれば同様に規定の縦寸法の基板Ａを製作することができる。このように、規定の基板Ａを３００ｍｍの整数倍の位置で切断できるようにすれば、縦寸法が規定の１８００ｍｍになる多くの組合せができ、型枠を枠組みする上において極めて至便である。
【００２１】
本発明に係る基板は上記構成からなり、次に図６に基づき壁面用型枠パネルＣの枠組方法について説明する。図６はコンクリート建物のある階の施工現場の断面図を示す。図中、Ｗ１は壁、Ｗ２は梁、Ｗ３は天井をそれぞれ示し、これらが型枠パネル内にコンクリートを打設した後に成形されることになる。この場合は、例えば、規定の縦寸法１８００ｍｍの基板を使った標準のコンクリート型枠パネルＡと縦寸法９００ｍｍの小基板ａ１を使った副コンクリート型枠パネルＢ１がそれぞれ複数枚使用される。
【００２２】
そして、まず、床Ｆ面に底板７を所定の高さに敷設すると共にその端縁の上面に副コンクリート型枠パネルＢ１立設し、この上に標準のコンクリート型枠パネルＢを立設して壁状に連接する。同様にして、その横にも副コンクリート型枠パネルＢ１と標準のコンクリート型枠パネルＢを立設してゆく。この際、隣接する各標準・副コンクリート型枠パネルＢ，Ｂ１同士は、互いの隣合う桟木用固定枠５，５の通孔６，６に連結具８を挿通して連結する。これにより、一側に壁面用型枠パネルＣが枠組みされる。同様に、これと対向位置させ所定の幅（壁Ｗ１の厚み）離して壁面用型枠パネルＣが壁状に枠組みされることになる。
【００２３】
前記各壁面用型枠パネルＣの上端縁に、梁Ｗ２の下面を成形する梁下面用型枠パネルＤが前方へほぼ水平に突出され、更に、その前端縁の上面に、梁Ｗ２の側面を成形する梁側面用型枠パネルＥが立設される。所定の間隔離して対向位置する両壁面用型枠パネルＣ，Ｃ間には、縦方向に所定の間隔離し複数本のセパレータ９を差し渡して間隔を設定すると共に各セパレータ９の端部に着脱自在に設けられた上下一対の帯片１０，１０間に挿通するようにして各壁面用型枠パネルＣ，Ｃの表側に横木１１，１１を押し当てる。この状態で、前記各帯片１０，１０に成形される長細透孔（図示せず。）に上から楔１２を挿通させる。これにより、対抗位置する壁面用型枠パネルＣ，Ｃがしっかりと固定される。
【００２４】
この際、各標準のコンクリート型枠パネルＢと各副コンクリート型枠パネルＢ１に当接するようにして縦木（図示せず。）が添えられる。これは、生コンクリートを打設したとき、その圧力により前記各標準・副コンクリート型枠パネルＢ，Ｂ１の継ぎ目で位置ずれを起さないようにするためである。また、各標準のコンクリート型枠パネルＢの上端部表面に、前記梁下面用パネルＤを下から保持してその撓みを防ぐため、側面逆Ｌ字状の受杆１３が添設される。
【００２５】
このようにして、型枠パネルの組み立てが完了した後、該型枠パネル内に生コンクリートを打ち込む。コンクリートが硬化した後は、各帯片１０、各横木１１、受杆１３及び壁面用型枠パネルＣ、梁下面・側面用型枠パネルＤ，Ｅを外す。そして、これらを次の階へ運んで同様に作業を行なうことになる。各標準・副コンクリート型枠パネルＢ，Ｂ１は、基板Ａ、小基板ａ１がいずれもＦＲＰ製であって、強度的に強いことから再使用が可能である。
【００２６】
以上のように本発明に係る基板Ａは、３００ｍｍ、６００ｍｍ，９００ｍｍといった３００の整数倍を縦寸法とする位置に常に横突条桟部２が位置することとなるので、この横突条桟部２の横中心線に沿って切断すれば、継足すための副コンクリート型枠パネルＢ１が容易に製作できる。しかも、切断した一方の基板と残りの他方の基板は、いずれもその縦寸法が３００ｍｍの整数倍になり、残りの基板も使用出来ることになって無駄がなく、床面と天上面との高さ寸法がいかようであっても、副コンクリート型枠パネルＢ１が容易に製作でき、多くの施工現場に対処できる。
【図面の簡単な説明】
【００２７】
【図１】本発明に係る基板の斜視図。
【図２】同正面図。
【図３】図２のＸ−Ｘ線拡大断面図。
【図４】コンクリート型枠パネルの斜視図。
【図５】（イ）は縦寸法９００ｍｍで切断した小基板の正面図、（ロ）は同寸法１２００ｍｍで切断した中基板の正面図、（ハ）は同寸法１５００ｍｍで切断した大基板の正面図。
【図６】型枠パネルを枠組みする状態を示す施工現場の側面断面図。
【図７】従来の基板の正面図。
【符号の説明】
【００２８】
１              縦突条部
２              横突条部
Ａ              基板
【図１】
2006118222.tif 000003
【図２】
2006118222.tif 000004
【図３】
2006118222.tif 000005
【図４】
2006118222.tif 000006
【図５】
2006118222.tif 000007
【図６】
2006118222.tif 000008
【図７】
2006118222.tif 000009